(57)【要約】【課題】外蓋に形成した縦壁を効率よく補強でき、安価ながら蓋フックの掛かり具合が安定する蓋を備えた炊飯器を提供する。【解決手段】外蓋１０に設けられた蓋フック１６が炊飯器本体１のフック受け部３０に掛かる炊飯器において、前記外蓋１０が前記フック受け部３０に臨む縦壁１５とこの縦壁１５の内側面に連なる複数のリブ立て部１７ａ〜ｇとを有し、前記縦壁１５の内側面にリブ立て部１７ａ〜ｇ間を繋ぐ横リブ１８が突出し、前記蓋フック１６が前記縦壁１５に形成されたフック状部分からなる構成を採用した。【選択図】図１
2006149418.tif 000002
【特許請求の範囲】
【請求項１】
外蓋に設けられた蓋フックが炊飯器本体のフック受け部に掛かる炊飯器において、前記外蓋が前記フック受け部に臨む縦壁とこの縦壁の内側面に連なる複数のリブ立て部とを有し、前記縦壁の内側面にリブ立て部間を繋ぐ横リブが突出し、前記蓋フックが前記縦壁に形成されたフック状部分からなることを特徴とする炊飯器。
【請求項２】
前記外蓋がその内面に取付けられたヒータカバーの外周を囲む環状壁を有し、前記リブ立て部と前記横リブとが前記環状壁に連なることを特徴とする請求項１に記載の炊飯器。
【請求項３】
前記リブ立て部が前記縦壁を挟んで前記蓋フックの両側に有り、前記横リブが前記縦壁を挟んで前記蓋フックと対向することを特徴とする請求項１または２に記載の炊飯器。
【請求項４】
前記縦壁と前記リブ立て部と前記横リブとによる箱状構造部分が、前記環状壁の内周面に開放し、前記ヒータカバーの外周部に固定された蓋パッキンが、前記環状壁とこのヒータカバーとの間を塞ぐことを特徴とする請求項２または３に記載の炊飯器。
【発明の詳細な説明】
【技術分野】
【０００１】
この発明は、外蓋に蓋フックを設けた炊飯器に関し、特に、外蓋にヒータカバーの取付け部を設ける場合に好適な蓋フック構造に関する。
【背景技術】
【０００２】
従来から、炊飯容量の小さい炊飯器には、いわゆる蓋リング部材を省略した構造の蓋が採用されることが多い。例えば、図８、図９に示すように、外蓋８１が開口８２を形成した縦壁８３を有し、外蓋８１の内面に、内蓋８４と、フック状部を形成した蓋フック部材８５とを装着した蓋８０がある（特許文献１）。
【０００３】
蓋フック部材８５は、前後にスライド可能に、かつ後退方向に付勢して設けられている。内蓋８４を取付けると、蓋フック部材８５は、スライド溝８６に案内されて前進し、縦壁８３の開口８２から突出する。蓋８０が閉じられると、開口８２が炊飯器本体のフック受け部８７に臨み、蓋フック部材８５は、フック受け部８７に掛かるようになっている。
【０００４】
【特許文献１】特開２００２−３５５１６８号公報
【発明の開示】
【発明が解決しようとする課題】
【０００５】
しかしながら、特許文献１に記載のような炊飯器では、蓋フック部材８５がスライド式の複雑な構造なので、蓋８０の低コスト化を図る妨げとなっていた。そこで、蓋フック部材８５を省略するため、蓋フックを、縦壁８３に形成したフック状部分から構成することが考えられる。
【０００６】
ところが、蓋８０は、蓋リング部材を省略した構造のため、蓋全体の剛性が低く、蓋開閉時の勢いで縦壁８３が変形し易い。また、外蓋８１の成型時に縦壁８３の寸法にバラツキが生じることは避けられない。これらが原因となって、組立てた炊飯器の中には、蓋フックの掛かりが浅いものや掛かりが悪いものが生じ得る。これに対する低コストの解決手段としては、外蓋８１に縦壁８３を補強するリブを立てることが考えられる。
【０００７】
しかしながら、蓋リング部材のない蓋８０では、外蓋８１の内面に、内蓋８４の取付け部を設ける必要がある。このため、縦壁８３を補強するリブを立てようとしても、金型抜きのクリアランスを設け難く、十分なリブを立てることは困難である。
【０００８】
そこで、この発明の課題は、外蓋に形成した縦壁を効率よく補強でき、安価ながら蓋フックの掛かり具合が安定する蓋を備えた炊飯器を提供することにある。
【課題を解決するための手段】
【０００９】
上記の課題を解決する手段として、この発明は、外蓋に設けられた蓋フックが炊飯器本体のフック受け部に掛かる炊飯器において、前記外蓋が前記フック受け部に臨む縦壁とこの縦壁の内側面に連なる複数のリブ立て部とを有し、前記縦壁の内側面にリブ立て部間を繋ぐ横リブが突出し、前記蓋フックが前記縦壁に形成されたフック状部分からなることを特徴とする構成を採用した。
【００１０】
この発明の構成では、前記外蓋が前記フック受け部に臨む縦壁とこの縦壁の内側面に連なる複数のリブ立て部とを有し、前記縦壁の内側面にリブ立て部間を繋ぐ横リブが突出し、前記蓋フックが前記縦壁に形成されたフック状部分からなるので、前記縦壁と前記複数のリブ立て部と前記横リブとが箱状構造をなして一体的な強度を発揮する。これにより、前記縦壁が効率よく補強されるので、蓋フックの掛かり具合が安定する。また、蓋の部材数が減り、蓋の組立て工程が簡略化されるので、蓋の製造コストが安くなる。
【００１１】
前記リブ立て部は、前記の箱状構造が構成されるように少なくとも２箇所にあればよく、金型抜きのクリアンスの余裕に応じて増やすことができる。したがって、この発明の構成では、蓋リング部材を省略し、前記外蓋の内面にヒータカバーを取付ける構成を採用した場合でも前記縦壁を十分に補強することができる。
【００１２】
この際、前記外蓋がその内面に取付けられたヒータカバーの外周を囲む環状壁を有し、前記リブ立て部と前記横リブとが前記環状壁に連なる構成を採用することが好ましい。ここで、前記環状壁は、前記ヒータカバーを前記外蓋に取付けた状態で前記外蓋と前記ヒータカバーとの間に生じる隙間を目隠しするためのものである。
【００１３】
この構成によれば、前記リブ立て部と前記横リブとが前記環状壁に連なるので、前記リブ立て部と前記横リブに加わる負荷が前記環状壁で分担される。これにより、前記リブ立て部を小さく立てることが可能になるので、前記環状壁の成型に伴って金型抜きのクリアランスが減少しても、前記縦壁を十分に補強することができる。
【００１４】
また、この発明の具体的構成として、前記リブ立て部が前記縦壁を挟んで前記蓋フックの両側に有り、前記横リブが前記縦壁を挟んで前記蓋フックと対向する構成を採用することもできる。この構成によれば、前記蓋フック付近が前記の箱状構造部分で直接的に補強されるので、前記リブ立て部の成型範囲を最小限に抑えることができる。
【００１５】
また、この発明の具体的構成として、前記縦壁と前記リブ立て部と前記横リブとによる箱状構造部分が、前記環状壁の内周面に開放し、前記ヒータカバーの外周部に固定された蓋パッキンが、前記環状壁とこのヒータカバーとの間を塞ぐ構成を採用することもできる。この構成によれば、前記リブ立て部と前記横リブとを前記環状壁の内周面を成型する金型面から突出するスライド金型で成型した場合でも、前記の箱状構造部分に埃や露が溜まることを防止することができる。
【発明の効果】
【００１６】
以上に述べたように、この発明によれば、外蓋に形成した縦壁を効果的に補強でき、安価ながら蓋フックの掛かり具合が安定する蓋を備えた炊飯器を得られる。
【発明を実施するための最良の形態】
【００１７】
以下、この発明の実施形態を添付図面の図１〜図７に基づいて説明する。
図１から図３に示すように、この実施形態に係る炊飯器は、炊飯器本体１と、これに蓋ヒンジ２を介して開閉可能に取付けた蓋３とを備える。蓋３は、外蓋１０にヒータカバー２０を取付けた構造を有し、蓋ヒンジ２に通した一本のヒンジスプリング４によって開方向に付勢されている。
【００１８】
外蓋１０は、蓋３の外殻を構成しており、内面に環状壁１１を有する。環状壁１１の内周面前方側には、爪状の取付け部１２，１２が左右対称で形成されている。また、環状壁１１は、外蓋内面に突設された蓋補強リブ１３と一体的に形成されており、外蓋の凹入部分からなる蒸気室１４と蓋補強リブ１３を介して連なっている。
【００１９】
図４（ａ）〜（ｃ）に示すように、ヒータカバー２０は、電熱ヒータ２１が配設されたカバー部２２と、カバー部外周に形成した折返し部２３と、折返し部２３に連設したカシメ代２４とを有する。カシメ代２４は、前方側に、取付け部１２に対応する位置に抜き穴２５を有する切起し部２６が形成され、後方側に、外蓋１０に固定するためのねじ通し部２７が形成されている。
【００２０】
折返し部２３には、内鍋５に密着する蓋パッキン２８が嵌合されている。この蓋パッキン２８は、カシメ代２４と、抜き穴成形時の抜き片部２９とをカシメることによりヒータカバー２０に固定されている。このように、抜き穴形成時の抜き片部２９を蓋パッキン２８のカシメ止めに利用することにより、蓋パッキン２８の取付け強度を向上させることができる。
【００２１】
ヒータカバー２０は、抜き穴２５を取付け部１２に係合させて位置決めし、ねじ通し部２７においてねじ止めすることにより、外蓋１０に取付けるようになっている。この取付け状態で、環状壁１１は、ヒータカバー２０の外周を囲むようになっている。
【００２２】
また、図１に示すように、外蓋１０は、炊飯器本体１のフック受け部３０に臨む縦壁１５を有する。縦壁１５は、外蓋上面の前端縁から勾配部分を介して概ね垂下するように設けられている。なお、縦壁１５は、蓋開閉の障害とならず、蓋３を閉じた状態でフック受け部３０に臨むように設ければよい。
【００２３】
フック受け部３０には、蓋閉じ動作に伴って蓋３に設けられた蓋フック１６と掛かり合うことにより蓋３を閉じ位置にロックし、ロック解除操作によって掛かり合いを解くことができる機構を用いる。この実施形態では、従来と同様、フックボタン部３０ａの後端縁に蓋フック１６と掛かり合う掛り部３０ｂを形成した部材を、ロック位置とロック解除位置との間を移動可能に、かつトーションばね３１によりロック位置を保つように設置した機構が用いられている。
【００２４】
図１、図５（ａ）〜（ｃ）に示すように、蓋フック１６は、蓋閉じ動作に伴ってフック受け部３０に掛かるものであり、縦壁１５に形成されたフック状部分からなる。蓋フック１６の両端には、蓋閉じ動作に伴ってフック受け部３０に接触するテーパ部１６ａが形成されている。蓋フック１６は、テーパ部１６ａの接触に伴いフック受け部３０をロック解除位置に移動させて通過した後、蓋３の戻り動作（ヒンジスプリング４の付勢による）に伴い、トーションばね３１によりロック位置に戻されているフック受け部３０の掛り部３０ｂに掛かるようになっている。
【００２５】
また、外蓋１０は、縦壁１５の内側面に連なる複数のリブ立て部１７ａ〜ｇを有する。両端のリブ立て部１７ａ，ｇは、縦壁１５を挟んで蓋フック１６の両側に有り、環状壁１１に連なっている。他のリブ立て部１７ｂ〜ｆは、後端縁上端が環状壁１１に連なっている（図３参照）。なお、中央のリブ立て部１７ｄは、蓋補強リブ１３と一体的に形成されている。
【００２６】
さらに、縦壁１５の内側面には、縦壁１５を挟んで蓋フック１６と対向し、リブ立て部１７ａ〜ｇ間を繋ぐ横リブ１８が突出している。横リブ１８は、各リブ立て部１７ａ〜ｇの上端を繋ぎ、環状壁１１に連なっている。これにより、外蓋１０には、縦壁１５と各リブ立て部１７ａ〜ｇと横リブ１８とによる箱状構造部分が環状壁１１と一体的に形成されている。なお、両端のリブ立て部１７ａ，ｇと横リブ１８のみを設けた場合でも、それぞれの肉厚等を調整すれば、縦壁１５の変形や倒れを防止することは十分に可能である。
【００２７】
リブ立て部１７ａ〜ｇと横リブ１８は、環状壁１１の内周面を成型する金型面から突出するスライド金型により成型されている。このように成型すると、金型の複雑な分割化を回避できるので、金型の強度が増し、外蓋１０の寸法精度が安定する。
【００２８】
ただし、前記の箱状構造部分は、環状壁１１の内周面に開放したものとなる。そこで、蓋パッキン２８は、ヒータカバー２０を取付けた状態で、環状壁１１とヒータカバー２０の間を塞ぐように設けられている。これにより、箱状構造内に埃や露が溜まることが防止される。なお、当然のことながら、ヒータカバー２０と蒸気室１４の間は蒸気通路で連通されている。
【００２９】
また、この実施形態では、環状壁１１が蓋補強リブ１３と蒸気室１４とに連続するので、縦壁１５に加わる負荷が環状壁１１を介して外蓋全体に分散される。このため、この実施形態では、リブ立て部１７ａ〜ｇの負担を特に軽減することができる。
【００３０】
また、この実施形態では、リブ立て部１７ａ〜ｇと横リブ１８は、縦壁１５と環状壁１１の間に有り、しかも、環状壁１１よりも低く設けられているので、ヒータカバー２０の取付けに何ら悪影響を与えることがない。
【００３１】
また、この実施形態では、縦壁１５が十分に補強されるので、図６、図７に示すように、縦壁１５の外側面に、蓋閉じ動作時における蓋３の左右方向の振れを炊飯器本体１のガイド部４０，４０との接触案内により規制する振止め部４１，４１を形成することができる。
【００３２】
振止め部４１，４１は、蓋フック１６を挟むように左右一対で縦壁１５の外側面に設けられた突出部分からなり、縦壁１５の勾配部分から壁先端に亘って蓋開閉方向と平行する方向に設けられている。
【００３３】
一方、ガイド部４０，４０は、フック受け部３０を挟むように左右一対で肩部１ａに設けられた凸形状部分からなり、左右方向外側の側面が振止め部４１，４１の対向側面４２，４２を蓋開閉方向と平行する方向に案内するガイド面となっている。この案内は、蓋閉じ動作時において、縦壁１５がフック受け部３０に臨んでから蓋フック１６がフック受け部３０に掛かるまで行われるようになっている。
【００３４】
上記のようにガイド部４０，４０と振止め部４１，４１とを設けると、蓋３は、ヒンジスプリング４の偏った付勢等が原因となって左右いずれかの方向に振れようとしても、ガイド部４０，４０と振止め部４１，４１との接触案内により規制されるので、正常な閉じ位置に落ち着く。このため、この実施形態では、蓋３と炊飯器本体１の肩部１ａとの間に大きな隙間や段差を生じることがない。
【００３５】
なお、ガイド部と振止め部は、上記のようなものに限定されない。例えば、振止め部４１，４１を凹溝状に形成し、ガイド部４０，４０を振止め部４１，４１と合致する凸リブ状に形成することもできる。
【図面の簡単な説明】
【００３６】
【図１】実施形態に係る炊飯器の縦断側面図。
【図２】同上の蓋開放状態を示す全体斜視図。
【図３】同上のリブ立て部付近の部分拡大斜視図。
【図４】（ａ）同上のヒータカバーの上面斜視図、（ｂ）図４（ａ）の切起し部付近の拡大図、（ｃ）図４（ａ）の切起し部の周方向中心上で径方向に切断した部分拡大縦断面図。
【図５】（ａ）同上の蓋フック付近の拡大斜視図、（ｂ）同上の蓋の蓋フック付近の部分拡大縦断側面図、（ｃ）同上の蓋の蓋フック付近の拡大下面図。
【図６】同上のフック受け部付近の拡大斜視図。
【図７】同上のフック受け部付近の拡大上面図。
【図８】従来例の蓋の下面側を示した斜視図。
【図９】従来例の蓋を閉じた状態における蓋フック付近の拡大縦断側面図。
【符号の説明】
【００３７】
１      炊飯器本体
１ａ    肩
２      蓋ヒンジ
３      蓋
４      ヒンジスプリング
５      内鍋
１０    外蓋
１１    環状壁
１２    取付け部
１３    蓋補強リブ
１４    蒸気室
１５    縦壁
１６    蓋フック
１６ａ  テーパ部
１７    リブ立て部
１８    横リブ
２０    ヒータカバー
２１    電熱ヒータ
２２    カバー部
２３    折返し部
２４    カシメ代
２５    抜き穴
２６    切起し部
２７    ねじ通し部
２８    蓋パッキン
２９    抜き片部
３０    フック受け部
３０ａ  フックボタン部
３０ｂ  掛り部
３１    トーションばね
４０    ガイド部
４１    振止め部
８０    蓋
８１    外蓋
８２    開口
８３    縦壁
８４    内蓋
８５    蓋フック部材
８６    スライド溝
８７    フック受け部
【図１】
2006149418.tif 000003
【図２】
2006149418.tif 000004
【図３】
2006149418.tif 000005
【図４】
2006149418.tif 000006
【図５】
2006149418.tif 000007
【図６】
2006149418.tif 000008
【図７】
2006149418.tif 000009
【図８】
2006149418.tif 000010
【図９】
2006149418.tif 000011